【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
乗物のための仮想電気／電子デバイスのインターフェース及び管理システム（ＶＥＥＤＩＭＳ）であって、
複数のケーブルによって形成されるバックボーンネットワークであって、各ケーブルはデジタルデータ及び電力を同時に搬送するように構成される、バックボーンネットワークと、
前記バックボーンネットワークに接続され、複数の制御命令を実行するように構成されるコントローラと、
前記バックボーンネットワークを介して前記コントローラに接続される複数のモジュールであって、前記バックボーンネットワークを介して前記モジュールが必要とするデータ及び全電力を受信するように構成され、前記モジュールは前記複数の制御命令に基づいて、前記コントローラからの制御信号を受信するように構成される、複数のモジュールと、
前記複数のモジュールのうちの第１のモジュール内に配置される直接入力／出力（Ｉ／Ｏ）インターフェースを介して、該第１のモジュールに接続される少なくとも１つのデバイスであって、該第１のモジュール内に収容されるデバイス特有ドライバが、該デバイスと、前記コントローラ内の汎用ＶＥＥＤＩＭＳコントローラドライバとの間の通信インターフェースを提供する、少なくとも１つのデバイスと
を備え、
前記第１のモジュールは、
前記デバイスが特に前記第１のモジュールとの通信のために構成されているか否かを判断し、
前記デバイスが特に前記第１のモジュールとの通信のために構成されておらず前記第１のモジュールと通信できない場合には、前記デバイスの動作パターンを監視して、前記コントローラによる使用のために前記デバイスのプロファイルを生成し、
前記デバイスが特に前記第１のモジュールとの通信のために構成されている場合、前記デバイスと通信することにより、前記デバイスのプロファイルを前記デバイスから直接取得するように構成され、
前記プロファイルは、短絡及び前記デバイスの他の問題を防ぐために使用される、乗物のための仮想電気／電子デバイスのインターフェース及び管理システム。
【請求項２】
前記コントローラと前記第１のモジュールとの間の前記バックボーンネットワーク内に配置されるスイッチをさらに備え、該スイッチは、前記必要とされる電力を電源から前記第１のモジュールに渡すと共に、前記第１のモジュールと前記コントローラとの間で通信を転送するように構成される、請求項１に記載のＶＥＥＤＩＭＳ。
【請求項３】
前記バックボーンネットワークはイーサネット（登録商標）を基にし、前記コントローラ及び前記第１のモジュールはそれぞれ、前記第１のモジュールと前記コントローラとの間で通信するための伝送制御プロトコル（ＴＣＰ）ドライバを備える、請求項２に記載のＶＥＥＤＩＭＳ。
【請求項４】
前記スイッチはイーサネットスイッチを含む、請求項２に記載のＶＥＥＤＩＭＳ。
【請求項５】
前記第１のモジュールは、ハイパーテキスト転送プロトコル（ＨＴＴＰ）サーバをさらに備える、請求項１に記載のＶＥＥＤＩＭＳ。
【請求項６】
前記第１のモジュールは、前記第１のモジュール及び前記デバイスについての診断データを得ると共に、該診断データを前記ＨＴＴＰサーバを介してアクセス可能にするように構成されている診断構成要素をさらに備える、請求項５に記載のＶＥＥＤＩＭＳ。
【請求項７】
前記第１のモジュールは、前記第１のモジュールのサービス履歴を含むドキュメンテーションセットをさらに含み、前記ドキュメンテーションセットは、前記ＨＴＴＰを介してアクセス可能であるように構成される、請求項５に記載のＶＥＥＤＩＭＳ。
【請求項８】
前記第１のモジュールは、前記第１のモジュール及び前記デバイスのうちの少なくとも一方のための動作パラメータを設定するように構成されている設定構成要素をさらに備える、請求項１に記載のＶＥＥＤＩＭＳ。
【請求項９】
前記第１のモジュールは、前記第１のモジュール及び前記デバイスのうちの少なくとも一方についてのデータを収集するように構成されているデータ収集構成要素をさらに備える、請求項１に記載のＶＥＥＤＩＭＳ。
【請求項１０】
前記データ収集構成要素は、前記収集されたデータを前記第１のモジュールから前記コントローラに送信するためにＥＣＨＯドライバに接続される埋め込み部品ヒストリアンオブジェクト（ＥＣＨＯ）を含む、請求項９に記載のＶＥＥＤＩＭＳ。
【請求項１１】
前記収集されたデータは、前記コントローラ内のデータベースに転送される前に、前記第１のモジュール内のレジスタマップ内に格納される、請求項９に記載のＶＥＥＤＩＭＳ。
【請求項１２】
前記第１のモジュールは前記デバイスと統合される、請求項１に記載のＶＥＥＤＩＭＳ。
【請求項１３】
乗物のための仮想電気／電子デバイスのインターフェース及び管理システム（ＶＥＥＤＩＭＳ）であって、
電力のみを搬送するように構成された第１のケーブルの第１のコネクタを受けるように構成されている第１の電力インターフェースと、電力及びデータの両方を同時に搬送するように構成された第３ケーブルの第１の信号ケーブルコネクタを受けるように構成されている第１のネットワーク／電力インターフェースと、該第１の電力インターフェース及び該第１のネットワーク／電力インターフェースに接続される第１のプロセッサと、該第１のプロセッサによって実行可能な複数の命令を含有する第１のメモリとを有する第１のコントローラであって、前記命令は複数のモジュールを制御するように構成されているコントローラ命令を含む、該第１のコントローラと、
電力のみを搬送するように構成された前記第１のケーブルの第２のコネクタを介して前記第１の電力インターフェースに直に接続されるバッテリと、
電力のみを搬送するように構成された第２のケーブルの第１のコネクタを受けるとともに、前記第２のケーブルを介して前記バッテリに直に接続されるように構成されている第２の電力インターフェースと、前記第３のケーブルの第２の信号ケーブルコネクタを受けるように構成されているとともに、電力及びデータの両方を同時に搬送するように構成された第４のケーブルの第１の信号ケーブルコネクタを受けるように構成されている第２のネットワーク／電力インターフェースとを有する第１のスイッチであって、該第１のスイッチは、電力及びデータの両方を同時に搬送するように構成された前記第３のケーブルを介して前記第１のネットワーク／電力インターフェースに直に接続されており、前記第１のコントローラと前記複数のモジュールとの間でデータコンジットとしての役割を果たすように構成されているとともに、前記バッテリと前記複数のモジュールとの間で電力コンジットとしての役割を果たすように構成されている第１のスイッチと、
複数のモジュールのうちの第１のモジュールであって、該第１のモジュールは、前記第４のケーブルの第２信号ケーブルコネクタを受けるように構成されるとともに電力及びデータの両方を同時に搬送するように構成された前記第４のケーブルを介して前記第２のネットワーク／電力インターフェースに直に接続される第３のネットワーク／電力インターフェースと、デバイス入力／出力（Ｉ／Ｏ）ポートと、該第３のネットワーク／電力インターフェース及び該デバイスＩ／Ｏポートに接続される第２のプロセッサと、該第２のプロセッサによって実行可能な複数の命令を含有する第２のメモリとを有しており、前記命令は、該第１のモジュールと、前記デバイスＩ／Ｏポートを介して該第１のモジュールに接続されるデバイスとの間の通信を可能にするように構成されたドライバ命令を含み、該第１のモジュールは前記スイッチを介して前記デバイスと前記第１のコントローラとの間の通信インターフェースを提供するように構成されている、第１のモジュールと
を備える、仮想電気／電子デバイスのインターフェース及び管理システム。
【請求項１４】
電力及びデータの両方を同時に搬送するように構成された第５のケーブルを介して前記第１のコントローラに接続される第２のコントローラをさらに備え、前記第１のメモリは、前記複数のモジュールによって引き起こされる負荷を前記第１のコントローラと前記第２のコントローラとの間で均衡させるための、前記第１のプロセッサによって実行可能な複数の命令を含む、請求項１３に記載のＶＥＥＤＩＭＳ。
【請求項１５】
第３の電力インターフェースと、電力及びデータの両方を同時に搬送するように構成された第５のケーブルを介して前記第２のネットワーク／電力インターフェースに直に接続される第４のネットワーク／電力インターフェースとを有する第２のスイッチをさらに備え、前記第２のスイッチは、前記バッテリではなく、前記第１のスイッチから電力を得るように構成される、請求項１３に記載のＶＥＥＤＩＭＳ。
【請求項１６】
前記第１のスイッチ及び前記第２のスイッチは、前記第５のケーブルを介して前記第１のスイッチから前記第２のスイッチに電力を渡すと共に、同時に前記第５のケーブルを介して前記第２のスイッチから前記第１のスイッチにデータを渡すように構成される、請求項１５に記載のＶＥＥＤＩＭＳ。
【請求項１７】
電力及びデータの両方を同時に搬送するように構成された第５のケーブルを介して前記第３のネットワーク／電力インターフェースに直に接続される第４のネットワーク／電力インターフェースを有する第２のモジュールをさらに備え、前記第２のモジュールは、その電力を前記第１のモジュールから得るように構成される、請求項１３に記載のＶＥＥＤＩＭＳ。
【請求項１８】
前記第２のメモリは、前記デバイスが前記第１のモジュールに最初に接続されるときに、前記デバイスに問い合わせを送信すると共に、該問い合わせから生じるデータを前記第１のコントローラに送信するための命令をさらに含む、請求項１３に記載のＶＥＥＤＩＭＳ。
【請求項１９】
前記第１のモジュール及び前記デバイスのうちの少なくとも一方は、前記第１のモジュール又は前記デバイスがそれぞれ前記第１のスイッチ又は前記第１のモジュールに接続された後に使用できるか否かを指示するように構成される光インジケータを備える、請求項１３に記載のＶＥＥＤＩＭＳ。
【請求項２０】
前記第２のメモリは、前記第１のモジュールが前記第１のスイッチに最初に接続されるときに、前記第１のモジュールの機能を記述するデータを前記第１のコントローラに送信するための命令をさらに含む、請求項１３に記載のＶＥＥＤＩＭＳ。
【請求項２１】
前記第１のスイッチは、前記第２のネットワーク／電力インターフェースに接続される第３のプロセッサと、該第３のプロセッサによって実行可能な複数の命令を含む第３のメモリとを備え、該命令は、前記デバイスが前記第１のモジュールに最初に接続されるときに前記デバイスの所要電力を求めるための命令、及び前記デバイスの前記所要電力を満たすだけの十分な電力を前記第１のスイッチが利用することができるか否かを判断するための命令を含む、請求項１３に記載のＶＥＥＤＩＭＳ。
【請求項２２】
前記第１のモジュール及び前記デバイスは単一のユニットに統合される、請求項１３に記載のＶＥＥＤＩＭＳ。
【請求項２３】
複数のデバイスが前記第１のモジュールに接続される、請求項１３に記載のＶＥＥＤＩＭＳ。
【請求項２４】
仮想電気／電子デバイスのインターフェース及び管理システム（ＶＥＥＤＩＭＳ）支援アーキテクチャであって、
車両層と、
前記車両層から分離された店舗層と
を備え、
前記車両層は、
乗物内に配置されるモジュールであって、該モジュールは、デバイスに適合する入力／出力（Ｉ／Ｏ）インターフェースを介して該デバイスに接続するように構成されるとともに、該モジュールに双方向データ及び一方向電力を同時に搬送するようになっているケーブルを介してコントローラに接続するように構成され、該モジュールは、第１のプロセッサと、該第１のプロセッサによって実行可能な第１の命令セットを含む第１のメモリとを有し、該第１の命令セットはハイパーテキスト転送プロトコル（ＨＴＴＰ）サーバを設けるための命令を含み、該第１のメモリは、該モジュールのサービス履歴と、該ＨＴＴＰサーバを介してアクセス可能である該モジュール及び前記デバイスのうちの少なくとも一方のための部品表と、前記車両の動作中に前記デバイス及び前記モジュールから補足された時系列データ及び事象反応データの両方とを含むドキュメンテーションセットをさらに含む、モジュールと、
前記乗物内に配置されるコントローラであって、該コントローラは第２のプロセッサと、該第２のプロセッサによって実行可能な第２の命令セットを含む第２のメモリとを有し、該第２の命令セットは、前記モジュールからデータを受信すると共に、該データを該第２のメモリ内に格納するための命令を含み、該データは時系列及び事象反応データを含む、コントローラと
を有し、
前記店舗層は、
前記ＨＴＴＰサーバと通信して前記ドキュメンテーションにアクセスするブラウザと、
前記コントローラから時系列及び事象反応データを受信するとともに、該時系列及び事象反応データを使用して、所定の最適な車両パラメータと比較される前記車両の性能を解析するように構成されている解析ツールと
を有する、仮想電気／電子デバイスのインターフェース及び管理システム支援アーキテクチャ。
【請求項２５】
前記第１の命令セットは、前記モジュール及び前記デバイスについての診断データを得ると共に、前記ＨＴＴＰサーバ及び前記ケーブルの内のうちの少なくとも一方を介して該診断データを転送するように構成される診断構成要素のための命令をさらに備える、請求項２４に記載のＶＥＥＤＩＭＳ支援アーキテクチャ。
【請求項２６】
前記第１の命令セットは、前記モジュール及び前記デバイスのうちの少なくとも一方のための動作パラメータを設定するように構成される設定構成要素のための命令をさらに備える、請求項２４に記載のＶＥＥＤＩＭＳ支援アーキテクチャ。
【請求項２７】
前記第１の命令セットは、前記モジュール及び前記デバイスのうちの少なくとも一方についてのデータを収集するように構成されるデータ収集構成要素のための命令をさらに備える、請求項２４に記載のＶＥＥＤＩＭＳ支援アーキテクチャ。
【請求項２８】
前記データ収集構成要素は、前記収集されたデータを前記モジュールから前記ケーブルを介して前記コントローラに送信するためにＥＣＨＯドライバに接続される埋め込み部品ヒストリアンオブジェクト（ＥＣＨＯ）を含む、請求項２７に記載のＶＥＥＤＩＭＳ支援アーキテクチャ。
【請求項２９】
前記第１の命令セットは、前記デバイスを監視してデバイスプロファイルを作成すると共に、該デバイスプロファイルを前記コントローラに送信するための命令をさらに含む、請求項２４に記載のＶＥＥＤＩＭＳ支援アーキテクチャ。
【請求項３０】
前記第１のモジュールは、前記デバイスに対して少なくとも１つのテストを行い、前記電力により使用される電力のレベルを判別するようにさらに構成されている、請求項１に記載のＶＥＥＤＩＭＳ。
【請求項３１】
前記第１のモジュールは、前記デバイスの動作パターンを監視する前に、定義された電力のレベルを前記デバイスに割り当てるように構成されており、前記第１のモジュールは、前記コントローラにより許可された場合にのみ、前記電力を割り当てるように構成されている、請求項１に記載のＶＥＥＤＩＭＳ。